(57)【要約】［課題］ユーザーが真空採血管から検査カートリッジに血液サンプルを分注する際に、ユーザーが誤った真空採血管の血液サンプルを使用することを抑制することができる検査カートリッジ及びこれを用いて血液検査を行う血液検査装置を提供する。［解決手段］血液検査装置により血液検査を行うために用いられる検査カートリッジであって、該検査カートリッジにおいて使用可能な抗凝固剤を識別するための識別子を設ける。
2018110344.tif 000002
【特許請求の範囲】
【請求項１】
血液検査装置により血液検査を行うために用いられる検査カートリッジであって、
該検査カートリッジにおいて使用可能な抗凝固剤を識別するための識別子が設けられている検査カートリッジ。
【請求項２】
前記識別子が、前記検査カートリッジの検体分注口近傍に設けられる請求項１に記載の検査カートリッジ。
【請求項３】
前記検査カートリッジが、検査カートリッジ本体と、該検査カートリッジ本体を封入する包装用パッケージとからなり、
前記包装用パッケージに、前記識別子が設けられている請求項１に記載の検査カートリッジ。
【請求項４】
前記検査カートリッジ本体に、前記識別子が設けられている請求項３に記載の検査カートリッジ。
【請求項５】
前記識別子が、
前記抗凝固剤の名称、文字コードのうち少なくともいずれかである文字、
前記抗凝固剤毎に定義されたカラーコードに応じた色彩、
前記抗凝固剤に関する情報を含むバーコード、ＲＦＩＤ（Radio Frequency Identifier）のうち少なくともいずれか、のうち、少なくともいずれかである請求項１から４のいずれかに記載の検査カートリッジ。
【請求項６】
前記カラーコードが、ＪＩＳ  Ｔ  ３２３３：２０１１で推奨されるカラーコードである請求項５に記載の検査カートリッジ。
【請求項７】
前記カラーコードが、ユーザーが使用する真空採血管のキャップの色彩に合わせたカラーコードである請求項５に記載の検査カートリッジ。
【請求項８】
前記識別子が、複数の前記抗凝固剤に関する情報を含む請求項１から７のいずれかに記載の検査カートリッジ。
【請求項９】
前記識別子が、前記検査カートリッジに関する情報を含む請求項１から８のいずれかに記載の検査カートリッジ。
【請求項１０】
請求項１から９のいずれかに記載の検査カートリッジを用いて血液検査を行う血液検査装置であって、
前記検査カートリッジの前記識別子に含まれる情報を入力するための入力手段を備える、血液検査装置。
【請求項１１】
前記入力手段により入力された前記識別子に含まれる情報を表示するための表示手段をさらに備える請求項１０に記載の血液検査装置。
【請求項１２】
検査に用いられる真空採血管に含まれる抗凝固剤の情報と、前記入力手段により入力された前記識別子に含まれる使用可能な抗凝固剤の情報と、を比較し、一致しない場合には、警告を通知するように構成される請求項１０または１１に記載の血液検査装置。
【請求項１３】
検査に用いられる真空採血管に含まれる抗凝固剤の情報と、前記入力手段により入力された前記識別子に含まれる使用可能な抗凝固剤の情報と、を比較し、一致しない場合には、血液検査を実行しないように構成される請求項１０から１２のいずれかに記載の血液検査装置。
【請求項１４】
前記検査に用いられる真空採血管に含まれる抗凝固剤の情報は、前記入力手段を用いて入力されるように構成される請求項１２または１３に記載の血液検査装置。
【請求項１５】
前記抗凝固剤の情報を含むバーコード、ＲＦＩＤ（Radio Frequency Identifier）のうち少なくともいずれかを前記入力手段を用いて入力されるように構成される請求項１４に記載の血液検査装置。
【請求項１６】
前記血液検査装置が、臨床検査情報システムと接続され、
前記検査に用いられる真空採血管に含まれる抗凝固剤の情報を、前記臨床検査情報システムから取得するように構成される請求項１２または１３に記載の血液検査装置。
【発明の詳細な説明】
【技術分野】
【０００１】
本発明は、血液検査の際に採血した血液を血液検査装置により検査する際に使用される検査カートリッジ及びこれを用いて血液検査を行う血液検査装置に関し、より詳しくは、検査に使用することができる真空採血管の情報を視認しやすく、検査ミスを減らすことが可能な検査カートリッジ及び血液検査装置に関する。
【背景技術】
【０００２】
近年、血液検査には、１又は複数の項目を測定することができる血液検査装置が用いられている。
血液検査装置を用いた血液検査では、被験者から真空採血管などを用いて血液サンプルを採取し、この血液サンプルを検査カートリッジに分注する。この検査カートリッジを血液検査装置に装着することで、血液検査が実行される。【０００３】
血液検査として全血を使用する場合、被験者から血液サンプルを採取する際に用いられる真空採血管には、全血が凝固しないように抗凝固剤が添加されている。
抗凝固剤には、例えば、ヘパリン、クエン酸ナトリウム、エチレンジアミン四酢酸（ＥＤＴＡ）、フッ化ナトリウムなどが使われており、測定する検査項目により使用可能な抗凝固剤は異なっている。【０００４】
間違った抗凝固剤が添加された全血を用いて血液検査が行われた場合には、正しい検査結果を得ることができず、もし、これが見過ごされて間違った検査結果が医師や看護師等ユーザーに報告された場合には、間違った治療がなされてしまう恐れがあるため、採血をする際には、真空採血管に含まれる抗凝固剤の確認が重要となる。【０００５】
このため、真空採血管には、添加される抗凝固剤の種類が明記されるとともに、真空採血管のキャップを所定の色にすることにより、真空採血管の選択を間違えることを防ぐようにしている。【０００６】
ＪＩＳ  Ｔ  ３２３３：２０１１では、表１のように、真空採血管に添加される抗凝固剤の種類に応じて推奨される文字コードやカラーコードが指定されている。
【表１】
2018110344.tif 000003
【０００７】
医師や看護師、臨床検査技師等のユーザーは、このような真空採血管の中から、検査で使用可能な真空採血管を選択し、上述するように血液検査を行っている。なお、検査で使用可能な真空採血管の種類は、例えば、紙などに記載されたリストを確認したり、臨床検査情報システム（ＬＩＳ）などによって指定表示されたりする。【０００８】
しかしながら、ユーザーによる見間違いや勘違いなどのヒューマンエラー、また、慣れによりリストを確認しないで作業を行うなどにより、異なる種類の真空採血管から検査カートリッジに血液サンプルを分注し、血液検査を行ってしまうことがあった。【０００９】
特許文献１では、血液検査の際に、一価イオン濃度や二価陽イオン濃度などに基づき、採取された血液サンプルで用いられる抗凝固剤が、誤った抗凝固剤であるか否かを判別し、誤った抗凝固剤を用いて採取された血液サンプルである場合には、その旨を報告する方法が開示されている。
【先行技術文献】
【特許文献】
【００１０】
【特許文献１】特表２０１１−５０８２２３号公報
【発明の概要】
【発明が解決しようとする課題】
【００１１】
しかしながら、特許文献１の方法は、誤った抗凝固剤を用いて採取された血液サンプルにより、誤った検査結果がユーザーに報告されることを防止するためのものである。このため、誤った抗凝固剤を用いて採取された血液サンプルか否かについては、血液検査の後にわかるため、無駄な血液検査を行ってしまうことになる。【００１２】
このため、ユーザーが誤った真空採血管から検査カートリッジに血液サンプルを分注して血液検査をする前に、ユーザーが気づけるようにすることが望まれていた。
また、このような血液検査は、従来、検査室で検査を専門とする臨床検査技師のもと、自動化された血液検査装置を用いて実施されていたが、近年では、ベッドサイドなど被験者の傍らで迅速な検査を行い、即時に結果を得るＰＯＣＴ（Point of Care Testing）のニーズが高まっている。【００１３】
このような検査では、臨床検査技師のような検査の専門家だけでなく、医師や看護師などが従来の医療業務の傍らで検査を実施することがあり、より容易に誤検査のリスクを減らした検査が行えるシステムが求められている。【００１４】
本発明では、このような現状を鑑み、ユーザーが真空採血管から検査カートリッジに血液サンプルを分注する際に、ユーザーが誤った真空採血管の血液サンプルを使用することを抑制することができる検査カートリッジ及びこれを用いて血液検査を行う血液検査装置を提供することを目的とする。
【課題を解決するための手段】
【００１５】
本発明は、前述したような従来技術における課題を解決するために発明された者であって、上述した目的のうち少なくとも一つを実現するために、本発明の一側面を反映した検査カートリッジは、
血液検査装置により血液検査を行うために用いられる検査カートリッジであって、
該検査カートリッジにおいて使用可能な抗凝固剤を識別するための識別子が設けられている。【００１６】
また、本発明の一側面を反映した血液検査装置は、
上述する検査カートリッジを用いて血液検査を行う血液検査装置であって、
前記検査カートリッジの前記識別子に含まれる情報を入力するための入力手段を備える。
【発明の効果】
【００１７】
本発明によれば、検査カートリッジもしくはその包装用パッケージに、検査項目で使用可能な抗凝固剤などの情報が明示されているため、ユーザーが真空採血管から検査カートリッジに血液サンプルを分注する際に、ユーザーに注意を促すことができ、誤った真空採血管の血液サンプルを使用することを抑制することができる。【００１８】
また、本発明によれば、真空採血管に含まれる抗凝固剤の種類と、検査カートリッジが使用可能な抗凝固剤の種類とを、事前に確認し、同じ抗凝固剤が含まれる真空採血管を用いて採取された血液サンプルの検査をまとめることができ、血液検査の効率を向上させることができる。【００１９】
さらに、本発明によれば、血液検査装置において、真空採血管に含まれる抗凝固剤の種類と、検査カートリッジが使用可能な抗凝固剤の種類とを比較し、一致しない場合には、事前に警告を通知したり、血液検査を行わないようにするため、無駄な血液検査を行わないようにすることができる。
【図面の簡単な説明】
【００２０】
【図１】図１は、本発明の一態様における検査カートリッジの概略構成を示す模式図である。
【図２】図２は、識別子の表示例である。
【図３】図３は、図１の検査カートリッジを用いた血液検査を行うための血液検査装置を説明するための概略構成図である。
【図４】図４は、本発明の別の一態様における検査カートリッジの概略構成を示す模式図である。
【発明を実施するための形態】
【００２１】
以下、本発明の実施の形態（実施例）を図面に基づいて、より詳細に説明する。
図１は、本発明の一態様における検査カートリッジの概略構成を示す模式図である。
図１に示すように、本実施例の検査カートリッジ１０には、使用可能な抗凝固剤を識別するための識別子１２が設けられている。
【００２２】
なお、識別子１２は、検査カートリッジ１０の機能を阻害しない位置であれば、どこに設けてもよいが、ユーザーの視認性を向上させるためには、検査カートリッジ１０の検体分注口１１近傍に設けることが好ましい。
【００２３】
また、識別子１２としては、抗凝固剤の名称や文字コードなどの文字、抗凝固剤毎に定義されたカラーコードに応じた色彩、抗凝固剤に関する情報を含むバーコードやＲＦＩＤ（Radio Frequency Identifier）などを用いることができ、これらの組合せであってもよい。
【００２４】
図２は、識別子１２の表示例である。図２（ａ）に示すように、抗凝固剤に関する情報を文字のみで表示してもよいし、図２（ｂ）に示すように、抗凝固剤に関する情報を文字及び色彩で表示してもよい。
【００２５】
また、複数の抗凝固剤に対応可能な検査カートリッジ１０の場合には、図２（ｃ）に示すように、複数の抗凝固剤に関する情報を含む識別子１２を設けることができる。
また、識別子１２には、図２に示すように、抗凝固剤に関する情報のみならず、検査カートリッジ１０を用いて行われる検査項目や、検査カートリッジ１０のロットナンバー、有効期限、メーカー情報など、検査カートリッジに関する情報を含めることもできる。
【００２６】
なお、図２に示す識別子１２の表示例は、あくまでも一例であり、抗凝固剤に関する情報が視認しやすく表示されていれば、どのように表示しても構わない。
【００２７】
なお、抗凝固剤の文字コードとは、抗凝固剤毎に設定されたコードであり、例えば、上記の表１に示すようなＪＩＳ  Ｔ  ３２３３：２０１１で推奨される文字コードを用いてもよいし、個別に設定した文字コードを用いることもできる。
【００２８】
また、カラーコードとしては、例えば、上記の表１に示すようなＪＩＳ  Ｔ  ３２３３：２０１１で推奨されるカラーコードを用いてもよいし、個別に設定したカラーコードを用いることもできる。なお、カラーコードを個別に設定する場合には、ユーザーが使用する真空採血管のキャップの色彩に合わせたカラーコードを設定することが好ましい。
【００２９】
なお、バーコードとしては、コンピュータなどによりデコード可能なバーコードであれば、特に限定されるものではなく、一次元コードのみならず、二次元コードであってもよい。
【００３０】
このように構成される本実施例の検査カートリッジ１０は、図３に示すように、入力手段２２を備えた血液検査装置２０を用いて、以下のように、血液検査を行うことができる。
なお、入力手段２２は、検査カートリッジ１０の識別子１２に応じて、適宜変更することができ、例えば、識別子１２が文字や色彩などの場合には、キーボード、マウス、タッチパネルなどを用いることができ、また、識別子１２がバーコードやＲＦＩＤなどの場合には、バーコードリーダーやＲＦＩＤリーダーなどの識別子読取手段を用いることができる。
【００３１】
入力手段２２として、識別子読取手段を用いる場合には、識別子読取手段により、検査カートリッジ１０の識別子を読み取ることで、識別子１２に含まれる抗凝固剤に関する情報が、血液検査装置２０の表示手段２４に表示されるように構成することが好ましい。
【００３２】
なお、識別子読取手段は、図３に示すように、血液検査装置２０に接続された外部装置とすることができるが、血液検査装置２０内部に設けられた内部装置としてもよい。識別子読取手段を内部装置とした場合には、検査カートリッジ１０を血液検査装置２０のカートリッジ装着部２１に装着した状態で、検査カートリッジ１０の識別子１２を読み取るように構成することができる。
【００３３】
また、血液検査装置２０は、検査に用いられる真空採血管に含まれる抗凝固剤の情報と、入力手段２２により入力された識別子１２に含まれる使用可能な抗凝固剤の情報とを比較し、一致しない場合には、表示手段２４に警告を表示するなど事前に警告を通知したり、血液検査を実行しないように構成することが好ましい。
【００３４】
なお、使用される真空採血管に含まれる抗凝固剤の情報は、ユーザーにより入力手段２２を用いて入力することができる。また、真空採血管に抗凝固剤の情報を含むバーコードやＲＦＩＤが設けられている場合には、入力手段２２として識別子読取手段を用いることで、真空採血管に含まれる抗凝固剤の情報を読み取ることができる。
【００３５】
また、臨床検査情報システム（ＬＩＳ）と血液検査装置２０とを接続し、血液検査装置２０が、真空採血管に含まれる抗凝固剤の情報を臨床検査情報システム（ＬＩＳ）から取得するように構成することもできる。
【００３６】
図４は、本発明の別の一態様における検査カートリッジの概略構成を説明するための模式図である。
この実施例において、図１，２に示す検査カートリッジ１０と同一の構成部材には、同一の符号を付して、その詳細な説明を省略する。
【００３７】
本実施例では、検査カートリッジ本体が包装用パッケージ１４に封入されている。このように包装用パッケージ１４に検査カートリッジ本体を封入することにより、検査カートリッジ本体を外的環境から保護することができ、検査カートリッジ本体の劣化を防ぐことができる。
【００３８】
このように構成される検査カートリッジ１０では、その包装用パッケージ１４に上述するような識別子１２が設けられる。
なお、包装用パッケージ１４と検査カートリッジ本体の両方に識別子１２が設けられていてもよい。
【００３９】
以上、本発明の好ましい実施の態様を説明してきたが、本発明はこれに限定されることはなく、本発明の目的を逸脱しない範囲で種々の変更が可能である。
【符号の説明】
【００４０】
１０      検査カートリッジ
１１      検体分注口
１２      識別子
１４      包装用パッケージ
２０      血液検査装置
２１      カートリッジ装着部
２２      入力手段
２４      表示手段
【図１】
2018110344.tif 000004
【図２】
2018110344.tif 000005
【図３】
2018110344.tif 000006
【図４】
2018110344.tif 000007
【国際調査報告】
2018110344.tif 000008
2018110344.tif 000009
2018110344.tif 000010